(57)【要約】【課題】容器本体の側壁に自立性を持たせた釣り用餌入れバッグを利用して、釣り場で使用予定の縦長の釣り具を、通行の邪魔にならず、損傷しないように保管できるようにすることである。【解決手段】容器本体１の自立性を持たせた側壁１ｂの１面の外面側に、縦長の釣り具を縦向きに保持する３つの有底の筒状保持部１０を設けるとともに、この側壁１ｂの外方へ張り出して接地されるように回動される２本の張り出し脚２０を設けることにより、容器本体１が筒状保持部１０を設けた側へ転倒しないようにして、釣り場で使用予定の釣り竿、たも網、杓等の縦長の釣り具を、通行の邪魔にならず、損傷しないように、筒状保持部１０に保管できるようにした。【選択図】図１
2010178648.tif 000002
【特許請求の範囲】
【請求項１】
直方体形状の容器本体の底と４周の側壁が水を通さないシート部材で形成され、その上端開口が蓋で開閉可能とされて、持ち運び用の吊り下げ手段が設けられ、前記容器本体の側壁に自立性を持たせた釣り用餌入れバッグにおいて、前記容器本体の側壁の外面側に、縦長の釣り具を縦向きに保持する少なくとも１つの有底の筒状保持部を設けたことを特徴とする釣り用餌入れバッグ。
【請求項２】
前記筒状保持部を前記直方体形状の容器本体の１面の側壁の外面側に設け、この筒状保持部を設けた１面の側壁の外面側に、上下方向へ回動可能に取り付けられ、上方へ回動されたときに、前記側壁の外面に沿わされ、下方へ回動されたときに、前記側壁の外面から外方へ張り出すように接地される少なくとも１本の張り出し脚を設けた請求項１に記載の釣り用餌入れバッグ。
【請求項３】
前記張り出し脚を、前記側壁外面から外方へ張り出すように接地される張り出し回動位置に位置決めする位置決め手段を設けた請求項２に記載の釣り用餌入れバッグ。
【請求項４】
前記位置決め手段が、前記張り出し脚に、基端側へ突出し、前記側壁の外面側に回動可能に取り付けられる基軸を設け、この基軸に、係合面が形成された基端側へ弾性部材で付勢された筒状係合子を外嵌し、前記側壁の外面側の基軸が取り付けられる部位に、前記張り出し脚が前記張り出し回動位置になったときに、前記筒状係合子の係合面が平行に当接される座面を設け、この座面に前記弾性部材で筒状係合子の係合面を押圧して、前記張り出し脚を前記張り出し回動位置に位置決めするものである請求項３に記載の釣り用餌入れバッグ。
【請求項５】
前記基軸に、前記筒状係合子の先端側でナット部材を螺着し、このナット部材を基端側へ締め付けて、前記筒状係合子の係合面を前記座面に押し付け固定するようにした請求項４に記載の釣り用餌入れバッグ。
【請求項６】
前記吊り下げ手段を、前記容器本体の対向する２面の各側壁の外面側にアーム部の基端が取り付けられ、これらのアーム部の先端に設けられた一対の把手部が容器本体の上方で合わせて把持される把手とし、前記アーム部の一方を、前記筒状保持部を設けた側壁側に取り付け、この一方のアーム部の長さを、対向する側壁側に取り付けた他方のアーム部の長さよりも短くして、前記一対の把手部が前記筒状保持部を設けた側壁側に偏った位置で合わせて把持されるようにした請求項２乃至５のいずれかに記載の釣り用餌入れバッグ。
【請求項７】
前記容器本体を形成するシート部材と前記筒状保持部を形成する部材を同系統の熱可塑性樹脂で形成し、熱溶着によって前記筒状保持部を前記シートに固着した請求項１乃至６のいずれかに記載の釣り用餌入れバッグ。
【発明の詳細な説明】
【技術分野】
【０００１】
本発明は、釣り用餌入れバッグに関する。
【背景技術】
【０００２】
海釣り等の魚釣りでは、生餌等の餌を入れるために、直方体形状の容器本体の底と４周の側壁が水を通さないシート部材で形成され、その上端開口が蓋で開閉可能とされて、把手や肩掛けベルト等の持ち運び用の吊り下げ手段が設けられたバッカンと呼ばれる釣り用餌入れバッグが使用されている。この釣り用餌入れバッグは、例えば、内部で餌としての解凍したオキアミをほぐしたり、ほぐして混ぜたオキアミを固めたりするために、容器本体の側壁が直立するように自立性を持たせたものが多い（例えば、特許文献１参照）。この釣り用餌入れバッグには、釣りの行き帰り等に、小物の釣り具や釣った魚を入れることもある。
【０００３】
一方、海釣り等では、状況に応じて釣り竿を変えたり、使用本数を増やしたりできるように、複数本の釣り竿を携行することが多い。また、釣り上げた魚を掬うためのたも網や、固めたオキアミ等の餌を遠方へ投げるための杓を携行することもある。通常、これらの釣り竿、たも網、杓等の縦長の釣り具は、必要なときに直ぐに使用できるように、釣り場で近くに寝かして保管されている。
【先行技術文献】
【特許文献】
【０００４】
【特許文献１】実用新案登録第３０９２３３３号公報
【発明の概要】
【発明が解決しようとする課題】
【０００５】
上述したように、使用予定の釣り竿、たも網、杓等の縦長の釣り具を釣り場で寝かして保管すると、他人の通行の邪魔になるとともに、自分自身や他人が踏み付けて、これらの釣り具を損傷する恐れがある。
【０００６】
そこで、本発明の課題は、容器本体の側壁に自立性を持たせた釣り用餌入れバッグを利用して、釣り場で使用予定の縦長の釣り具を、通行の邪魔にならず、損傷しないように保管できるようにすることである。
【課題を解決するための手段】
【０００７】
上記の課題を解決するために、本発明は、直方体形状の容器本体の底と４周の側壁が水を通さないシート部材で形成され、その上端開口が蓋で開閉可能とされて、持ち運び用の吊り下げ手段が設けられ、前記容器本体の側壁に自立性を持たせた釣り用餌入れバッグにおいて、前記容器本体の側壁の外面側に、縦長の釣り具を縦向きに保持する少なくとも１つの有底の筒状保持部を設けた構成を採用した。
【０００８】
すなわち、容器本体の自立性を持たせた側壁の外面側に、縦長の釣り具を縦向きに保持する少なくとも１つの有底の筒状保持部を設けることにより、釣り場で使用予定の釣り竿、たも網、杓等の縦長の釣り具を、通行の邪魔にならず、損傷しないように、筒状保持部に保管できるようにした。筒状保持部を有底としたのは、縦長の釣り具の基端が地面等に当たって疵付くのを防止するためである。
【０００９】
前記筒状保持部を前記直方体形状の容器本体の１面の側壁の外面側に設け、この筒状保持部を設けた１面の側壁の外面側に、上下方向へ回動可能に取り付けられ、上方へ回動されたときに、前記側壁の外面に沿わされ、下方へ回動されたときに、前記側壁の外面から外方へ張り出すように接地される少なくとも１本の張り出し脚を設けることにより、１面の側壁の筒状保持部に縦長の釣り具を縦向きに保持する容器本体が、餌等の収納物が少なくて軽いときに、筒状保持部を設けた側壁側へ転倒するのを防止することができる。
【００１０】
前記張り出し脚を、前記側壁の外面から外方へ張り出すように接地される張り出し回動位置に位置決めする位置決め手段を設けることにより、張り出し脚を容易に張り出し回動位置に位置決めすることができる。
【００１１】
前記位置決め手段は、前記張り出し脚に、基端側へ突出し、前記側壁の外面側に回動可能に取り付けられる基軸を設け、この基軸に、係合面が形成された基端側へ弾性部材で付勢された筒状係合子を外嵌し、前記側壁の外面側の基軸が取り付けられる部位に、前記張り出し脚が前記張り出し回動位置になったときに、前記筒状係合子の係合面が平行に当接される座面を設け、この座面に前記弾性部材で筒状係合子の係合面を押圧して、前記張り出し脚を前記張り出し回動位置に位置決めするものとすることができる。
【００１２】
前記基軸に、前記筒状係合子の先端側でナット部材を螺着し、このナット部材を基端側へ締め付けて、前記筒状係合子の係合面を前記座面に押し付け固定することにより、安定して張り出し脚を張り出し回動位置にロックすることができる。
【００１３】
前記吊り下げ手段を、前記容器本体の対向する２面の各側壁の外面側にアーム部の基端が取り付けられ、これらのアーム部の先端に設けられた一対の把手部が容器本体の上方で合わせて把持される把手とし、前記アーム部の一方を、前記筒状保持部を設けた側壁側に取り付け、この一方のアーム部の長さを、対向する側壁側に取り付けた他方のアーム部の長さよりも短くして、前記一対の把手部が前記筒状保持部を設けた側壁側に偏った位置で合わせて把持されるようにすることにより、筒状保持部に縦長の釣り具を保持し、これらの保持側へ重心が偏る釣り用餌入れバッグを、バランスよく持ち運ぶことができる。
【００１４】
前記容器本体を形成するシート部材と前記筒状保持部を形成する部材を同系統の熱可塑性樹脂で形成し、熱溶着によって前記筒状保持部を前記シートに固着することにより、筒状保持部を形成する部材を容易に容器本体に取り付けることができる。
【発明の効果】
【００１５】
本発明の釣り用餌入れバッグは、容器本体の自立性を持たせた側壁の外面側に、縦長の釣り具を縦向きに保持する少なくとも１つの有底の筒状保持部を設けたので、釣り場で使用予定の釣り竿、たも網、杓等の縦長の釣り具を、通行の邪魔にならず、損傷しないように、筒状保持部に保管することができる。
【図面の簡単な説明】
【００１６】
【図１】釣り用餌入れバッグの実施形態を示す外観斜視図
【図２】図１の側面図
【図３】ａは図２の張り出し脚を張り出し回動位置でロックした状態を示す断面図、ｂはａのロックを外した状態を示す断面図
【図４】図１の釣り用餌入れバッグに縦長の釣り具を保持した状態を示す外観斜視図
【図５】図４の釣り用餌入れバッグを持ち運ぶ状態を示す外観斜視図
【発明を実施するための形態】
【００１７】
以下、図面に基づき、本発明の実施形態を説明する。この釣り用餌入れバッグは、図１および図２に示すように、コーナ部に丸みを持たせた直方体形状の容器本体１の底１ａと４周の側壁１ｂが水を通さない熱可塑性樹脂としてのエチレン酢酸ビニル共重合樹脂（ＥＶＡ）のシート部材で形成され、その上端開口を線ファスナ２で開閉する蓋３が取り付けられており、側壁１ｂは直立する自立性が持たされている。また、対向する２面の側壁１ｂの外面には、持ち運び用の吊り下げ手段としての一対の把手４、５が取り付けられ、把手４が取り付けられた側壁１ｂの外面には、縦長の釣り具を縦向きに保持する３つの筒状保持部１０と、これらの両側で側壁１ｂの外面から外方へ張り出すように接地される２本の張り出し脚２０が設けられている。各筒状保持部１０は、保持される縦長の釣り具の基端が地面等に当たって疵付くのを防止するために、有底とされている。
【００１８】
前記一対の把手４、５は、側壁１ｂの外面側の把手取り付け部６ａ、６ｂにアーム部４ａ、５ａの基端が回動自在に取り付けられ、各アーム部４ａ、５ａの先端に設けられた一対の把手部４ｂ、５ｂが容器本体１の上方で合わせて把持されるようになっている。筒状保持部１０が設けられた側壁１ｂ側に取り付けられたアーム部４ａの長さは、対向する側壁１ｂ側に取り付けられたアーム部５ａの長さよりも短く形成され、一対の把手部４ｂ、５ｂは、筒状保持部１０が設けられた側壁１ｂ側に偏った位置で合わせて把持される。また、一対の把手４、５は軟質の樹脂で形成され、把手部４ｂ、５ｂの合わせ面に設けられた凸部７と凹部８を係合させることにより、合体した状態に保持されるようになっている。
【００１９】
前記３つの筒状保持部１０は、容器本体１を形成するシート部材と同系統のＥＶＡで形成され、側壁１ｂ側が開口して側壁１ｂとの間で筒部を形成し、その周囲の平坦部１１で一体に繋がっており、平坦部１１が熱溶着によって側壁１ｂの外面に固着されている。各筒状保持部１０は、上端縁に釣り竿のリール部等を係止する切欠き部１２が設けられるとともに、下端部に水抜き孔１３が設けられ、中間部には、軽量化のための複数の切欠き孔１４も設けられており、真中の筒状保持部１０は、両側の筒状保持部１０よりも内径が少し大きく形成されている。また、平坦部１１には、前記把手４の把手取り付け部６ａと、後述する脚取り付け部２１が一体に形成されている。なお、把手５の把手取り付け部６ｂは、同じくＥＶＡで形成されて反対側の側壁１ｂの外面に固着されたシート部材９と一体に形成されている。
【００２０】
図３（ａ）、（ｂ）に示すように、前記張り出し脚２０は、ねじを切った基軸２０ａの先端側に樹脂で形成した脚部２０ｂを取り付けたものであり、基軸２０ａが側壁１ｂの外面側の脚取り付け部２１にピン２２で回動自在に取り付けられている。基軸２０ａの基端部には、弾性部材としてのコイルばね２３で基端側へ付勢され、基端側に係合面２４ａが形成された筒状係合子２４が外嵌され、筒状係合子２４の先端側には、ナット部材２５が基軸２０ａに螺着されている。コイルばね２３は、筒状係合子２４の内側で基軸２０ａの周りに装着されている。
【００２１】
前記ナット部材２５は、小径の円筒部２５ａの中央部に大径の鍔部２５ｂが形成され、鍔部２５ｂの外周面には、ナット部材２５を回しやすくするためのローレット加工が施されている。このナット部材２５は、円筒部２５ａの基端側端面でコイルばね２３の一端側を受け、鍔部２５ｂで筒状係合子２４を押し付けるようになっている。また、前記脚取り付け部２１には、斜め下向きの座面２１ａと上向きの座面２１ｂが形成され、その中間部にＲ面２１ｃが形成されている。
【００２２】
図３（ａ）に示すように、前記張り出し脚２０を下方へ回動させて接地させると、筒状係合子２４の係合面２４ａが脚取り付け部２１の斜め下向きの座面２１ａと平行になってコイルばね２３で押圧され、張り出し脚２０が張り出し回動位置に位置決めされる。このとき、ナット部材２５を基端側へ締め付けて、筒状係合子２４の係合面２４ａを座面２１ａに押し付けることにより、張り出し脚２０が張り出し回動位置にロックされる。なお、接地された脚部２０ｂの下向きの先端面には、滑り止め用の複数の突条２６が形成されている。
【００２３】
図３（ｂ）に示すように、前記ナット部材２５を先端側へ緩めると、筒状係合子２４はコイルばね２３で脚取り付け部２１側へ押圧された状態で先端側へ移動可能となり、図中に矢印で示すように、張り出し脚２０を上方へ回動することができる。張り出し脚２０が上方へ回動されると、筒状係合子２４の係合面２４ａは、脚取り付け部２１のＲ面２１ｃに当接されたあと、上向きの座面２１ｂと平行に係合し、図２中に一点鎖線で示したように、側壁１ｂの外面に沿わされる回動位置に位置決めされて、コンパクトに畳まれる。
【００２４】
図４は、上述した釣り用餌入れバッグを用いて、釣り場で使用予定の縦長の釣り具としての釣り竿Ａとたも網Ｂを、３つの筒状保持部１０に縦向きに保持した状態を示す。中央の内径が大きい筒状保持部１０には柄の太いたも網Ｂが保持され、両端の筒状保持部１０には釣り竿Ａが保持されており、２本の外方へ張り出した張り出し脚２０が接地されて、容器本体１が、筒状保持部１０を設けた側へ転倒しないようになっている。
【００２５】
図５は、上述した釣り竿Ａとたも網Ｂを筒状保持部１０に保持した釣り用餌入れバッグを、釣り場で持ち運ぶ状態を示す。前述したように、一対の把手４、５の把手部４ｂ、５ｂは、容器本体１の上方で筒状保持部１０が設けられた側壁１ｂ側に偏った位置で把持されるので、釣り竿Ａとたも網Ｂを保持した側へ重心が偏る釣り用餌入れバッグを、バランスよく持ち運ぶことができる。なお、この図５は、釣り場を移動する状態であり、２本の張り出し脚２０は外方へ張り出したままとされている。
【００２６】
上述した実施形態では、容器本体の１面のみの側壁に筒状保持部を設け、この側壁に２本の張り出し脚を設けたが、張り出し脚は１本または３本以上とすることもでき、筒状保持部は複数面の側壁に設けることもできる。
【符号の説明】
【００２７】
１  容器本体
１ａ  底
１ｂ  側壁
２  線ファスナ
３  蓋
４、５  把手
４ａ、５ａ  アーム部
４ｂ、５ｂ  把手部
６ａ、６ｂ  把手取り付け部
７  凸部
８  凹部
９  シート部材
１０  筒状保持部
１１  平坦部
１２  切欠き部
１３  水抜き孔
１４  切欠き孔
２０  張り出し脚
２０ａ  基軸
２０ｂ  脚部
２１  脚取り付け部
２１ａ、２１ｂ  座面
２１ｃ  Ｒ面
２２  ピン
２３  コイルばね
２４  筒状係合子
２４ａ  係合面
２５  ナット部材
２５ａ  円筒部
２５ｂ  鍔部
２６  突条
【図１】
2010178648.tif 000003
【図２】
2010178648.tif 000004
【図３】
2010178648.tif 000005
【図４】
2010178648.tif 000006
【図５】
2010178648.tif 000007